(57)【要約】【課題】室内制御器が交換された場合にも、正確な運転時間積算値を維持できる空気調和機を提供する。【解決手段】本空気調和機は、室内制御器に設ける不揮発性の記憶手段に運転時間積算値を随時更新記憶し、室外機制御器に設ける不揮発性の記憶手段に記憶される運転時間積算値を室内制御器へ送信し、室外制御器の記憶手段に記憶される運転時間積算値より室内制御器の記憶手段に記憶される運転時間積算値が短い値の場合、室内制御器の記憶手段に記憶される運転時間積算値を室外制御器の記憶手段に記憶されている運転時間積算値に変更する。【選択図】  図２
2009014302.tif 000002
【特許請求の範囲】
【請求項１】
運転時間積算値を記憶するための不揮発性の室内記憶手段と、運転時間を計時して、前記室内記憶手段における前回の運転時間積算値の記憶以後の運転時間を加算して前記室内記憶手段に記憶させる運転時間積算手段とを有する室内制御器を備えた室内機と、
運転時間積算値を記憶するための不揮発性の室外記憶手段を有する室外制御器を備えた室外機を有し、
前記室内制御器に設けられ、前記室内記憶手段に記憶された運転時間積算値を室外制御器に送信するとともに、室外制御器より送られてきた運転時間積算値を受信し、受信した運転時間積算値より前記室内記憶手段に記憶されている運転時間積算値が短い値の場合、前記室内記憶手段に記憶されている運転時間積算値を送られてきた運転時間積算値に更新する室内送受信手段と、
前記室外制御器に、前記室外記憶手段に記憶されている運転時間積算値を前記室内制御器へ送信するとともに、前記室内送受信手段から送信されてきた運転時間積算値を受信して前記室外記憶手段に更新記憶する室外送受信手段と
を設けたことを特徴とする空気調和機。
【請求項２】
運転時間積算値を記憶するための不揮発性の室内記憶手段と、運転時間を計時して、前記室内記憶手段における前回の運転時間積算値の記憶以後の運転時間を加算して前記室内記憶手段に記憶させる運転時間積算手段とを有する室内制御器を備えた室内機と、
室外機制御器を備えた室外機と、
運転時間積算値を記憶する不揮発性のリモコン記憶手段を有するリモコン制御器を備え、前記室内機と双方向通信可能なワイヤレスリモコンを有し、
前記室内制御器に設けられ、前記室内記憶手段に記憶された運転時間積算値を前記ワイヤレスリモコンに送信するとともに、前記リモコン制御器より送られてきた運転時間積算値を受信し、受信した運転時間積算値より前記室内記憶手段に記憶されている運転時間積算値が短い値の場合、前記室内記憶手段に記憶されている運転時間積算値を送られてきた運転時間積算値に更新する室内送受信手段と、
前記リモコン制御器に、前記リモコン記憶手段に記憶されている運転時間積算値を前記室内制御器へ送信するとともに、前記室内送受信手段から送信されてきた運転時間積算値を受信して前記リモコン記憶手段に更新記憶するリモコン送受信手段と
を備えたことを特徴とする空気調和機。
【請求項３】
前記室外機制御器は不揮発性の室外記憶手段と、この室外記憶手段に記憶されている運転時間積算値を前記室内制御器機へ送信する室外送受信手段とを設け、
前記室外記憶手段に記憶されている運転時間積算値より前記室内制御器の記憶手段に記憶されている運転時間積算値が短い値の場合、
前記室内制御器の記憶手段に記憶されている運転時間積算値を前記室外記憶手段に記憶されている運転時間積算値に変更することを特徴とする請求項２に記載の空気調和機。
【発明の詳細な説明】
【技術分野】
【０００１】
本発明は空気調和機に係り、特に運転時間の積算値の記憶方式を改良した空気調和機に関する。
【背景技術】
【０００２】
近年、空気調和機では故障の診断やデータ把握等のために、空気調和機の運転時間を積算した運転時間積算を行い、これを記憶するようになっている。
【０００３】
運転時間の積算は、運転（ＯＮ）時間をカウントする方法やほぼ運転時間に等しい室内ファンの運転時間をカウントする方法、さらには、室内機への通電時間をカウントする等の方法等がある。
【０００４】
このようにして積算された運転時間積算値は、空気調和機の電源が断たれても記憶が保持され、再び電源が復旧し、運転が行われると元の運転時間積算値に積算されるように不揮発性の記憶素子、例えばＥＥＰＲＯＭ等が使用される（例えば、特許文献１参照）。
【０００５】
また、この特許文献１では、室内機と室外機が分離された、いわゆるスプリット型空気調和機において、運転時間積算値を保存するＥＥＰＲＯＭを室内機と室外機それぞれに設けている。
【０００６】
しかしながら、空気調和機において、ＥＥＰＲＯＭが取り付けられている室内制御器（室内プリント基板）に故障が生じた場合、室内制御器そのものを交換して対応することが多い。ところが、室内制御器そのものが交換されると、新たな室内制御器に含まれるＥＥＰＲＯＭは新規なものが取り付けられているため、運転時間積算値は取替え後に新たに「０」から開始されてしまう。
【０００７】
また、特許文献１に記載の空気調和機のように室内外それぞれにＥＥＰＲＯＭを設けたとしても、室内制御器が積算した運転時間を適時、室外制御器のＥＥＰＲＯＭにコピーして保存する方式であるため、室内制御器が新規なものに交換されると室外制御器のＥＥＰＲＯＭの運転時間積算値も室内制御器のＥＥＰＲＯＭにあわせて「０」に設定されることとなる。この結果、室内制御器を交換した場合には、その空気調和機自体の正確な運転時間の積算値は維持できないという問題があった。
【特許文献１】特開２００４−１５６８２９号公報
【発明の開示】
【発明が解決しようとする課題】
【０００８】
本発明は上述した事情を考慮してなされたもので、室内制御器が交換された場合にも、正確な運転時間積算値を維持できる空気調和機を提供することを目的とする。
【課題を解決するための手段】
【０００９】
上述した目的を達成するため、本発明に係る空気調和機は、運転積算時間を記憶するための不揮発性の室内記憶手段と、運転時間を計時して、前記室内記憶手段における前回の運転積算時間の記憶以後の運転時間を加算して前記室内記憶手段に記憶させる運転時間積算手段とを有する室内制御器を備えた室内機と、運転積算時間を記憶するための不揮発性の室外記憶手段を有する室外制御器を備えた室外機を有し、前記室内制御器に設けられ、前記室内記憶手段に記憶された運転積算時間を室外制御器に送信するとともに、室外制御器より送られてきた運転積算時間を受信し、受信した運転積算時間より前記室内記憶手段に記憶されている運転積算時間が短い値の場合、前記室内記憶手段に記憶されている運転積算時間を送られてきた運転積算時間に更新する室内送受信手段と、前記室外制御器に、前記室外記憶手段に記憶されている運転積算時間を前記室内制御器へ送信するとともに、前記室内送受信手段から送信されてきた運転積算時間を受信して前記室外記憶手段に更新記憶する室外送受信手段とを設けたことを特徴とする。
【００１０】
また、本発明に係る空気調和機は、運転積算時間を記憶するための不揮発性の室内記憶手段と、運転時間を計時して、前記室内記憶手段における前回の運転積算時間の記憶以後の運転時間を加算して前記室内記憶手段に記憶させる運転時間積算手段とを有する室内制御器を備えた室内機と、室外機制御器を備えた室外機と、運転積算時間を記憶する不揮発性のリモコン記憶手段を有するリモコン制御器を備え、双方向通信可能なワイヤレスリモコンを有し、前記室内制御器に設けられ、前記室内記憶手段に記憶された運転積算時間をリモコンに送信するとともに、リモコン制御器より送られてきた運転積算時間を受信し、受信した運転積算時間より前記室内記憶手段に記憶されている運転積算時間が短い値の場合、前記室内記憶手段に記憶されている運転積算時間を送られてきた運転積算時間に更新する室内送受信手段と、前記リモコン制御器に、前記リモコン記憶手段に記憶されている運転積算時間を前記室内制御器へ送信するとともに、前記室内送受信手段から送信されてきた運転積算時間を受信して前記リモコン記憶手段に更新記憶するリモコン送受信手段とを設けたことを特徴とする。
【発明の効果】
【００１１】
本発明に係る空気調和機によれば、室内制御器が交換された場合にも、正確な運転時間積算値を維持できる空気調和機を提供することができる。
【発明を実施するための最良の形態】
【００１２】
本発明の一実施形態に係る空気調和機について、添付図面を参照して説明する。
【００１３】
図１および図２に示すように、空気調和機１は、室内機２と、室外機３と、室内機と赤外線信号の送受信が可能で、空気調和機１の運転を指示するワイヤレスリモコン４を備える。
【００１４】
室内機２には室内送風機により送風される室内熱交換器を備え、室外機３はコンプレッサ、室外送風機により送風される室外熱交換器、電子膨張弁、四方弁を備える。
【００１５】
さらに、室内機２には、この室内機２全体及び室外機３全体を統括して制御する例えばマイクロコンピュータ（マイコン）を搭載した室内ＭＣＵ（マイクロコントロールユニット）２１を備える。
【００１６】
この室内ＭＣＵ２１は、空気調和機１に対する電源供給用の交流電源と接続される。図２にその詳細を示すように室内ＭＣＵ２１は、リモコン４からの赤外線ワイヤレス指令信号を受信するとともに室内ＭＣＵ２１からの指令信号を赤外線によって送信可能な送受信回路２５に接続されている。一方、室外機３の室外ＭＣＵ３１との間で運転指令等の送受信信号（有線接続信号）をやり取りする送受信回路２４も同様に室内ＭＣＵ２１に接続されている。さらに、室内ＭＣＵ２１には後述する運転時間積算値を記憶する不揮発性のＥＥＰＲＯＭ（室内記憶手段）２３が接続される。このＥＥＰＲＯＭ２３は、記憶データの消去・書き込みを自由に行うことができ、電源を切っても内容が消えない不揮発性の記憶素子である。
【００１７】
室内ＭＣＵ２１は、その内部に、運転時間を計時して、前記室内記憶手段における前回の運転積算時間の記憶以後の運転時間を加算してＲＲＰＲＯＭ２３に記憶させる運転時間積算手段２２と、リモコン４および室外機３との間で行なわれる信号のやり取りに基づいて室内記憶手段２３が記憶する運転時間積算値を更新する送受信手段２６とをプログラムとして機能的に備える。室内ＭＣＵ２１、ＥＥＰＲＯＭ２３、送受信回路２４、２５は、これ以外の電源回路や周辺回路を含めて、室内制御器２０として単一のプリント基板上に配置される。
【００１８】
機能的に、運転時間積算手段２２は、運転中の運転時間を計時する計時手段２２ａ、この計時手段が計時した運転時間を、ＥＥＰＲＯＭ２３に記憶されている運転時間積算値に可算し、その結果を最新の運転時間積算値としてＥＥＰＲＯＭ２３に記憶させる加算手段２２ｂからなる。
【００１９】
室内制御器２０は、リモコン４０から送られてくる運転指令（ＯＮ）信号を送受信回路２５で受信し、これを室内送受信手段２６が判別して計時手段２２ａに計時指令を送り、この計時指令により計時手段２２ａは計時動作を開始する。その後、運転中は適時（例えば１０時間毎）、それまでに計時された運転時間データを加算手段２２ｂに送るとともに計時データをリセット（０にする）し、その時点から再度運転時間の計時を開始する。
【００２０】
すなわち、運転中において、例えば１０時間が経過すると、加算手段２２ｂは、ＥＥＰＲＯＭ２３に記憶されている前回の運転までの運転時間積算値を読み出し、この運転時間積算値に計時手段２２ａから送られてきた今回の運転時間である１０時間を加算して、加算結果の時間値を新たな運転時間積算値としてＥＥＰＲＯＭ２３の所定の領域に書き込む。この結果、前回の運転までの運転時間積算値は消去され、ＥＥＰＲＯＭ２３には、最新の運転時間積算値が記憶される。また、加算手段２２ｂは、ＥＥＰＲＯＭ２３への運転時間積算値の書き込みとあわせて室内送受信手段２６に最新の運転時間積算値を送り、室内送受信手段２６はこのデータを室外機３に送信する。
【００２１】
一方、リモコン４０から運転の停止が指示された場合、送られてきた停止指令（ＯＦＦ）信号は、送受信回路２５で受信され、これを室内送受信手段２６が判別して計時手段２２ａに停止指令を送り、この停止指令により計時手段２２ａは計時動作を終了し、それまでに計時された運転時間データを加算手段２２ｂに送るとともに計時データをリセットして、計時動作を終了する。運転中の場合と同様に、加算手段２２ｂは、ＥＥＰＲＯＭ２３に記憶されている前回の運転までの運転時間積算値を読み出し、読み出された運転時間値に計時手段２２ａから送られてきた今回の運転時間を加算して、これを新たな運転時間積算値としてＥＥＰＲＯＭ２３に書き込む。
【００２２】
なお、運転時間積算手段２２によるＥＥＰＲＯＭ２３の運転時間積算値の書き込み方法として、運転開始時にＥＥＰＲＯＭ２３の運転時間積算値を読み出して、この運転時間積算値を運転時間データの初期値とし、その後の運転時間をこれに追加計時して、適時及び運転終了時に計時している運転時間データを運転時間積算値としてＥＥＰＲＯＭ２３に書き込んでも良い。さらにＥＥＰＲＯＭ２３に記憶されている過去の運転時間積算値を読み出すことなく、適時及び運転停止時に計時手段２２ａによって計時されたその時の運転時間データをＥＥＰＲＯＭ２３の運転時間積算値の記憶領域に追加書き込みし、結果的にＥＥＰＲＯＭ２３に運転時間積算値が保存される方法を用いても良い。
【００２３】
一方、室外機３は、この室外機３全体を制御し、室内ＭＣＵ２１との間で通信を行い、室内ＭＣＵ２１の指示により動作が制御される室外制御器３０を備える。この室外制御器３０には、室外ＭＣＵ３１と運転積算時間を記憶するための不揮発性の記憶手段としてＥＥＰＲＯＭ（室外記憶手段）３３及び室内機２の室内ＭＣＵ２１との間で信号をやり取りする送受信回路３４とが接続されている。これらの室外ＭＣＵ３１とＥＥＰＲＯＭ３３及び送受信回路３４により室外制御器３０が構成されている。室外ＭＣＵ３１は、その内部に室外送受信手段３１ａを機能的に備えている。室外送受信手段３１ａは、運転開始時、すなわち室内制御器２０からの運転指令受信時に、ＥＥＰＲＯＭ３３に記憶されている運転時間積算値を室内制御器２０へ送信する。また、室外送受信手段３１ａは、適時及び運転終了時に室内送受信手段２６から送信されてきた運転時間積算値を受信してＥＥＰＲＯＭ３３の所定の記憶領域に更新記憶する。
【００２４】
さらに、ワイヤレスリモコン４は、このリモコン４全体を制御するリモコン制御器４０を備えている。リモコン制御器４０は、リモコンＭＣＵ４１、運転／停止ボタンを含む多数の入力用ボタン４５、運転時間積算値を記憶するための不揮発性の記憶手段としてＥＥＰＲＯＭ（リモコン記憶手段）４３及び室内機向けリモコン側送受信回路４４が搭載されている。これらの各部品は配線接続され、１枚のプリント基板上に載置されている。
【００２５】
リモコンＭＣＵ４１は、その内部にリモコン送受信手段４１ａを機能的に備えている。リモコン送受信手段４１ａは、空気調和機の運転開始時、すなわち使用者により運転ボタン４５が操作された場合、室内制御器２０への運転指令出力に続いてＥＥＰＲＯＭ４３に記憶されている運転時間積算値を読み出し、このデータを室内制御器２０へ送信する。さらにリモコン送受信手段４１ａは、停止ボタン４５が操作された場合、運転停止指令を室内制御器２０へ送信して空気調和機の運転を停止させるとともに、この運転終了時に室内送受信手段２６から室内の送受信回路２５、室外の送受信回路４４を介して送信されてきた運転時間積算値を受信してＥＥＰＲＯＭ４３の運転時間積算値を記憶している領域に更新記憶する。
【００２６】
なお、本実施形態では、運転時間の積算と、この積算された運転時間の消去・書き込みをマイクロコンピュータとＥＥＰＲＯＭの組み合わせで行う例で説明しているが、不揮発性メモリーを内蔵したフラッシュマイコン等を用いてもよい。
【００２７】
次に本実施形態に係る空気調和機の動作について図２を参照しながら、図３ないし図５に示す制御フローチャートに沿って説明する。
【００２８】
はじめに、図３に示すリモコン制御フローチャートに沿って説明する。
【００２９】
ワイヤレスリモコン４は、最初に運転開始か否かを判断する（Ｓ１）。この運転開始か否かの判断は、リモコンＭＣＵ４１が運転ボタン４５の操作があったか否かを判断することで行う。
【００３０】
運転開始の操作があった場合（Ｓ１のＹｅｓ）、室内機２へ運転開始指令とリモコン４のＥＥＰＲＯＭ４３に記憶されている運転時間積算データｔｒ（運転時間積算値）を送信する（Ｓ２）。
【００３１】
Ｓ１において、運転開始の操作がなされてない場合（Ｓ１のＮｏ）、その時点が運転中か否かを判断する（Ｓ３）。運転中（Ｓ３のＹｅｓ）である場合、運転を停止する操作がなされたかどうかを判断する（Ｓ４）。運転停止か否かの判断は、停止ボタン４５の操作があったか否か判断することで行う。停止の操作があった場合（Ｓ４のＹｅｓ）、リモコンＭＣＵ４１から送受信回路４４、２５を介して、室内機２に停止指令を送信する（Ｓ５）。続いて、リモコンＭＣＵ４１は室内機２のＥＥＰＲＯＭ２３が記憶している室内運転時間積算値データｔｉを受信したか否か判断する（Ｓ６）。
【００３２】
室内運転時間積算値データｔｉを受信した場合（Ｓ６のＹｅｓ）、リモコンＭＣＵ４１はＥＥＰＲＯＭ４３に室内運転時間積算値データｔｉを上書きする（Ｓ７）。
【００３３】
Ｓ３において、運転中でない場合（Ｎｏ）、空気調和機は不使用状態であり、制御動作はなく、特になにも行わず最初に戻る（Ｓ３のＮｏ）。
【００３４】
Ｓ４において、停止操作がない場合（Ｎｏ）も、なにも行わず最初に戻る。Ｓ６において、室内運転時間積算データｔｉを受信完了しない場合（Ｎｏ）、受信完了までこの判断を繰り返す（Ｓ６）。
【００３５】
続いて、室内ＭＣＵ２１の動作を図４に示す室内機制御フローチャートに沿って説明する。
【００３６】
室内ＭＣＵ２１はリモコン４から運転開始指令を受信したか否かを判断する（Ｓ１１）。室内ＭＣＵ２１が運転開始指令を受信した場合（Ｓ１１のＹｅｓ）、室内ＭＣＵ２１は、送受信回路２４、送受信回路３４を介して室外ＭＣＵ３１に室外機３の運転開始指令信号を送信して、空気調和機１の運転を開始する（Ｓ１２）。
【００３７】
続いて、室内ＭＣＵ２１はリモコン制御器４１より運転時間積算データｔｒを受信したか否か判断する（Ｓ１３）。運転時間積算データｔｒを受信した場合、室内のＥＥＰＲＯＭ２３に記憶されている運転時間積算データｔｉが、リモコンに記憶されている運転時間積算データｔｒより大きいか否か、すなわち、ｔｒ＞ｔｉを判断する（Ｓ１４）。
【００３８】
ここで、通常はｔｒ＝ｔｉのはずであるが、故障などの何等かの理由で室内制御器２０が交換されていると室内のＥＥＰＲＯＭ２３に記憶されている運転時間積算データｔｉは“０”となるため、ｔｒ＞ｔｉとなる。そこで、ｔｒ＞ｔｉの場合（Ｙｅｓ）、ｔｉ＝ｔｒに設定し（Ｓ１５）、ｔｒに等しく設定したｔｉを運転時間積算値として室内制御部２０のＥＥＰＲＯＭ２３に上書きする（Ｓ１６）。この結果、新規の室内制御器２０内のＥＥＰＲＯＭ２３に正しい空気調和機の運転時間積算値が記憶される。
【００３９】
続いて、室内ＭＣＵ２１は室外機３より、室外制御器３０のＥＥＰＲＯＭ３３に記憶されている運転時間積算値データｔ０を受信したか否かを判断する（Ｓ１７）。
【００４０】
運転時間積算値データｔ０を受信している場合（ｙｅｓ）、ｔｏ＞ｔｉか否か判断し、（Ｓ１８）ｔｏ＞ｔｉの場合（Ｙｅｓ）、ｔｉ＝ｔｏに設定（Ｓ１９）し、ｔｏに等しく設定したｔｉを室内制御部２１のＥＥＰＲＯＭ２３に上書きする（Ｓ２０）。したがって、故障などの何等かの理由で室内制御器２０及びリモコン４０が共に交換されていても、室外のＥＥＰＲＯＭ２３に記憶されている運転時間積算値データ（ｔｏ）を用いることで、新規の室内制御器２０内のＥＥＰＲＯＭ２３に正しい空気調和機の運転時間積算値が記憶される。
【００４１】
Ｓ１３において、リモコン制御器４１より運転時間積算値データｔｒを受信していない場合（Ｎｏ）、受信されるまでこのステップを繰り返す。
【００４２】
Ｓ１４において、ｔｒ＞ｔｉでない場合（Ｎｏ）、Ｓ１７へ移行し、運転時間積算値データ（ｔ０）を受信したか否かを判断する。
【００４３】
Ｓ１８において、ｔｏ＞ｔｉでない場合（Ｎｏ）、室内制御器２０は交換されていないと判断できるためＥＥＰＲＯＭ２３への上書き（Ｓ２０）を行わない。
【００４４】
Ｓ１１において、室内制御部２１が運転開始指令を受信していない場合（Ｎｏ）、運転中か否か判断する（Ｓ２１）。運転中である場合、リモコン制御器４０より運転停止指令を受信したか否かを判断する（Ｓ２２）。
【００４５】
リモコン制御器４０より運転停止指令を受信した場合（Ｙｅｓ）、運転時間ｔｉの積算を停止し（Ｓ２３）、室内制御器２０から室外制御器３０に空気調和機の運転停止指令を送信する（Ｓ２４）。
【００４６】
続いて、後述するＳ２８にて積算中の運転時間ｔｉを室内制御器２０のＥＥＰＲＯＭ２３に運転時間積算値データとして上書きする（Ｓ２５）とともに室内制御器２０からリモコン４及び室外機３に運転時間積算値データｔｉを転送する（Ｓ２６、Ｓ２７）。
【００４７】
Ｓ２２において、運転停止指令を受信していない場合（Ｎｏ）、継続して運転中であることから運転時間ｔｉの積算を継続する（Ｓ２８）。
【００４８】
Ｓ２８に続いて、適時、例えば１０時間ごとに、室内制御器２０のＥＥＰＲＯＭ２３に運転時間積算値データｔｉを上書きする（Ｓ２９）とともに室外制御器３０に運転時間積算値データｔｉを送信する（Ｓ３０）。
【００４９】
以下、これを繰り返す。
【００５０】
最後に、室外機３の動作について図５に示す室外機制御フローチャートに沿って説明する。
【００５１】
最初に室内制御器２０から室外制御器３０送られてくる運転開始指令信号を受信したか否か判断（Ｓ４１）し、運転開始指令信号を受信した場合（Ｙｅｓ）、室内機２へ室外機３のＥＥＰＲＯＭ３３に記憶された運転時間積算値データｔｏを送信する（Ｓ４２）。
【００５２】
続いて、室外機３の運転を開始（Ｓ４３）し、室内機２より適時送られてくる運転時間積算値データｔｉを受信したか否かを判断する（Ｓ４４）。運転時間積算値データｔｉを受信した場合（Ｓ４４のＹＥＳ）、室外機３のＥＥＰＲＯＭ３３に運転時間積算値データｔｉを上書きする（Ｓ４５）。この結果、ＥＥＰＲＯＭ３３に保存されている運転時間積算値データｔｏはｔｉになる。
【００５３】
一方、Ｓ４１において、運転開始指令信号を受信していない場合（Ｎｏ）、その時点で運転中か否か判断する（Ｓ４６）。Ｓ４６で運転中である場合（ＹＥＳ）、室内機２より運転停止指令を受信したか否か判断する（Ｓ４７）。ここで、運転停止指令を受信している場合（Ｙｅｓ）、室外制御器３０は室外機３を停止する（Ｓ４８）。Ｓ４６において、運転中でなければ、最初に戻り、各ステップを繰り返す。
【００５４】
Ｓ４８にて室外機３を停止した場合、Ｓ４４に移行し、室内機２より運転時間積算値データｔｉを受信したか否かを判断し、受信していればＥＥＰＲＯＭ３３に運転時間積算値データｔｉを上書き（Ｓ４５）して最初に戻り、受信するまではＳ４８で待機する。
【００５５】
以上のとおり、本実施形態の空気調和機１は、停止時に室内制御器２０のＥＥＰＲＯＭ２３の運転時間積算値を、室外制御器３０及びリモコン制御器４０に設けたＥＥＰＲＯＭ３３、３４に運転時間積算値として記憶させ、運転開始時に室内制御器２０が、室外制御器３０及びリモコン制御器４０に設けたＥＥＰＲＯＭ３３、３４の運転時間積算値データｔｏ、ｔｒと、室内制御器２０のＥＥＰＲＯＭ２３の運転時間積算値データｔｉを比較し、室内制御器２０のＥＥＰＲＯＭ２３の運転時間積算値データｔｉよりも室外制御器３１及びリモコン制御器４１に設けたＥＥＰＲＯＭ３４、４３に記憶される運転時間積算値データｔｏ、ｔｉが大きい（運転時間積算値が大きい）場合には、その大きい運転時間積算値データに、室内制御器２１のＥＥＰＲＯＭ２３に記憶される運動時間積算値を書き換える。
【００５６】
この結果、室内制御器が何等かの理由により新しい室内制御器に交換された場合も、室内制御器の運転時間積算値は、同時に交換されなかった室外制御器またはリモコンに設けられたＥＥＰＲＯＭの運転時間積算値に置き換えられるため、正確な運転時間積算値を維持できる。
【００５７】
従って、空気調和機の修理等で室内制御器が交換された場合でも、運転時間積算値が実際の運転時間の積算値にほぼ近い値に維持され、この運転時間積算値を利用した故障診断、寿命予測などに活用できる。
【００５８】
なお、上記実施形態の空気調和機では、室内制御器、室外制御器およびリモコンに設けた不揮発性の記憶手段に運転時間積算値を記憶する例で説明したが、現実的には、室内制御器と室外制御器またはリモコンの２つが同時に交換される可能性はきわめて低いため、リモコンには不揮発性の記憶手段を設けず、室内制御器および室外制御器に設けた不揮発性の記憶手段に運転時間積算値を記憶するようにしても、あるいは室外制御器には不揮発性の記憶手段を設けず、室内制御器およびリモコン制御器に設けた不揮発性の記憶手段に運転時間積算値を記憶するようにしても、ほぼ同様の効果が得られる。
【図面の簡単な説明】
【００５９】
【図１】本発明の一実施形態に係る空気調和機の概念図。
【図２】本発明の一実施形態に係る空気調和機の制御ブロック図。
【図３】本発明の一実施形態に係る空気調和機のリモコン制御フローチャート図。
【図４】本発明の一実施形態に係る空気調和機の室内機制御フローチャート図。
【図５】本発明の一実施形態に係る空気調和機の室外機制御フローチャート図。
【符号の説明】
【００６０】
１…空気調和機、２…室内機、３…室外機、４…ワイヤレスリモコン、２０…室内制御部、２２…運転時間積算手段、２３…ＥＥＰＲＯＭ（室内記憶手段）、２４…室外機向け送受信回路、２５…リモコン向け送受信回路、３０…室外制御器、３３…ＥＥＰＲＯＭ（室外記憶手段）、３４…室内機向け送受信回路、４０…リモコン制御器、４３…ＥＥＰＲＯＭ（リモコン記憶手段）、４４…室内機向けリモコン側送受信回路、４５…入力用ボタン。
【図１】
2009014302.tif 000003
【図２】
2009014302.tif 000004
【図３】
2009014302.tif 000005
【図４】
2009014302.tif 000006
【図５】
2009014302.tif 000007